(57)【要約】  【課題】  樹脂の硬化後に金型を容易に抜き取ることが可能な遊技板のインサート成形装置、及びそれを用いた遊技板のインサート成形方法を提供する。  【解決手段】  遊技釘２６の埋設位置に対応する位置に貫通孔４１が形成された金型３２と、遊技釘２６をその先端側が貫通孔４１を介して金型３２の内側に突出した状態で保持する遊技釘保持手段３４とを備え、遊技釘保持手段３４は、先端側の挟持部６５により遊技釘２６の所定位置を挟持した状態でその先端部により貫通孔４１を外側から閉鎖可能な挟持手段６１を備え、貫通孔４１と挟持部６５の先端部とは共に先端側が狭いテーパー形状に形成され、挟持手段６１は、貫通孔４１のテーパー面に沿って開閉可能に構成されると共に、挟持部６５により遊技釘２６の所定位置を挟持したとき、その遊技釘２６の頭部２６ｂの位置が挟持部６５の開閉時の移動軌跡から外れるように構成されているものである。【選択図】  図２
2006043284.tif 000002
【特許請求の範囲】
【請求項１】
遊技釘（２６）の埋設位置に対応する位置に、前記遊技釘（２６）の後端側の頭部（２６ｂ）が通過可能な貫通孔（４１）が形成された金型（３２）と、前記遊技釘（２６）をその先端側の埋設部（２６ｃ）が前記貫通孔（４１）を介して前記金型（３２）の内側に突出した状態で保持する遊技釘保持手段（３４）とを備え、前記遊技釘保持手段（３４）により前記遊技釘（２６）を保持した状態で前記金型（３２）に合成樹脂（７２）を充填することにより前記遊技板（１６）を成形するための遊技板のインサート成形装置であって、前記遊技釘保持手段（３４）は、先端側の挟持部（６５）により前記遊技釘（２６）の所定位置を挟持した状態でその先端部により前記貫通孔（４１）を外側から閉鎖可能な挟持手段（６１）を備え、前記貫通孔（４１）と前記挟持部（６５）の先端部とは共に先端側が狭いテーパー形状に形成され、前記挟持手段（６１）は、前記貫通孔（４１）のテーパー面に沿って開閉可能に構成されると共に、前記挟持部（６５）により前記遊技釘（２６）の前記所定位置を挟持したとき、その遊技釘（２６）の頭部（２６ｂ）の位置が前記挟持部（６５）の開閉時の移動軌跡から外れるように構成されていることを特徴とする遊技板のインサート成形装置。
【請求項２】
前記遊技釘保持手段（３４）は、前記挟持部（６５）により前記遊技釘（２６）の前記所定位置を挟持したとき、その遊技釘（２６）の頭部（２６ｂ）に後側から略当接してその遊技釘（２６）の後側への移動を規制する規制手段（６２）を備えたことを特徴とする請求項１又は２に記載の遊技板のインサート成形装置。
【請求項３】
前記遊技板（１６）上に一列状に植設される複数の遊技釘（２６）に対応して複数個の前記挟持手段（６１）を一体に形成したことを特徴とする請求項１又は２に記載の遊技板のインサート成形装置。
【請求項４】
前記挟持部（６５）（６５）の後端側がその先端側のテーパー面（６８）と略平行に形成されていることを特徴とする請求項１〜３の何れかに記載の遊技板のインサート成形装置。
【請求項５】
前記請求項１〜４の何れかに記載の遊技板のインサート成形装置を用いた遊技板のインサート成形方法であって、前記遊技釘（２６）を挟持した前記挟持手段（６１）により前記各貫通孔（４１）を外側から閉鎖することにより前記遊技釘（２６）をその先端側の前記埋設部（２６ｃ）が前記金型（３２）の内側に突出した状態で保持する遊技釘保持工程と、前記金型（３２）内に合成樹脂（７２）を充填する充填工程と、前記金型（３２）内に充填された合成樹脂（７２）の硬化後に前記挟持手段（６１）を前記テーパー面に沿って開放して前記遊技釘（２６）の保持を解除する遊技釘保持解除工程とを備えたことを特徴とする遊技板のインサート成形方法。
【発明の詳細な説明】
【技術分野】
【０００１】
本発明は、遊技釘の先端側を埋め込んだ状態で合成樹脂製の遊技板を成形するための遊技板のインサート成形装置、及びそれを用いた遊技板のインサート成形方法に関するものである。
【背景技術】
【０００２】
パチンコ機等の弾球遊技機には、遊技領域を形成するための遊技盤が装着されている。この遊技盤は、例えばベニヤ板等の平板状の遊技板の前側に、液晶表示手段等の表示手段、各種入賞手段、ランプ等の各種遊技部品が装着され、更に多数の遊技釘が植設されて形成されている。
【０００３】
ところで、近時の弾球遊技機は、演出性を高めるために液晶式表示手段等の表示画面が大型化し、それに伴って遊技領域に占める表示領域の割合が徐々に大きくなって周囲の領域を圧迫する傾向にあり、遊技球が自由に通過できる実質的な遊技領域を十分に確保できなくなってきている。
【０００４】
このようなことから、表示領域と実質的な遊技領域とを共に広く確保すべく、遊技板を透明な合成樹脂により形成し、この透明な遊技板の後方に液晶表示手段を配置して遊技板を通してその後方の表示画面を視認可能とし、遊技球が自由に通過できる実質的な遊技領域と表示領域とを共に広く確保できるようにしたものが提案されている（特許文献１参照）。
【０００５】
しかしながら、合成樹脂製の遊技板では、ベニヤ板製の遊技板と同様の方法で遊技釘を打ち込むことは非常に困難であり、また仮に打ち込み得たとしても、遊技釘の打ち込み部分の周辺に割れや歪みが生じて、それが裏側の液晶表示手段の画像を透視する際の障害となる虞がある。このような問題を回避するためには、例えば遊技釘を埋め込んだ状態で遊技板をインサート成形する方法が考えられる。
【特許文献１】特開２００４−１６００２９号公報
【発明の開示】
【発明が解決しようとする課題】
【０００６】
遊技板を遊技釘と共にインサート成形する方法では、金型を外す際に遊技釘の頭部をどのように抜くかが問題となる。即ち、金型に遊技釘の軸部と略同径の貫通孔を設け、その外側から遊技釘の先端側を金型の内部に向けて挿通させた状態で樹脂を充填する場合には、樹脂の硬化後に遊技釘の頭部が貫通孔に引っ掛かって金型を抜くことができない。一方、貫通孔を遊技釘の頭部よりも大きくすると、遊技釘を保持する遊技釘保持手段により貫通孔を外側から閉鎖して樹脂の漏れを防止する必要があるが、この場合には樹脂の硬化後に遊技釘保持手段を貫通孔及び遊技釘から抜き取ることができない。
【０００７】
以上のように、弾球遊技機の遊技釘にはその後端側に軸部よりも大径の頭部が一体に形成されていることにより、遊技板を遊技釘と共にインサート成形する方法では成形後に金型等をうまく抜き取ることが困難であるという問題があった。
【０００８】
本発明は、このような問題点に鑑み、樹脂の硬化後に金型を容易に抜き取ることが可能な遊技板のインサート成形装置、及びそれを用いた遊技板のインサート成形方法を提供することを目的とする。
【課題を解決するための手段】
【０００９】
本発明は、遊技釘２６の埋設位置に対応する位置に、前記遊技釘２６の後端側の頭部２６ｂが通過可能な貫通孔４１が形成された金型３２と、前記遊技釘２６をその先端側の埋設部２６ｃが前記貫通孔４１を介して前記金型３２の内側に突出した状態で保持する遊技釘保持手段３４とを備え、前記遊技釘保持手段３４により前記遊技釘２６を保持した状態で前記金型３２に合成樹脂７２を充填することにより前記遊技板１６を成形するための遊技板のインサート成形装置であって、前記遊技釘保持手段３４は、先端側の挟持部６５により前記遊技釘２６の所定位置を挟持した状態でその先端部により前記貫通孔４１を外側から閉鎖可能な挟持手段６１を備え、前記貫通孔４１と前記挟持部６５の先端部とは共に先端側が狭いテーパー形状に形成され、前記挟持手段６１は、前記貫通孔４１のテーパー面に沿って開閉可能に構成されると共に、前記挟持部６５により前記遊技釘２６の前記所定位置を挟持したとき、その遊技釘２６の頭部２６ｂの位置が前記挟持部６５の開閉時の移動軌跡から外れるように構成されているものである。
【００１０】
また、本発明は、その遊技板のインサート成形装置を用いた遊技板のインサート成形方法であって、前記遊技釘２６を挟持した前記挟持手段６１により前記各貫通孔４１を外側から閉鎖することにより前記遊技釘２６をその先端側の前記埋設部２６ｃが前記金型３２の内側に突出した状態で保持する遊技釘保持工程と、前記金型３２内に合成樹脂７２を充填する充填工程と、前記金型３２内に充填された合成樹脂７２の硬化後に前記挟持手段６１を前記テーパー方向に開いて前記遊技釘２６の保持を解除する遊技釘保持解除工程とを備えたものである。
【発明の効果】
【００１１】
本発明によれば、金型３２内に充填された合成樹脂の硬化後に遊技釘保持手段３４及び金型３２を容易に抜き取ることが可能であり、遊技釘２６を埋設しつつ成形する遊技板１６のインサート成形が可能となる。
【発明を実施するための最良の形態】
【００１２】
以下、本発明の実施形態を図面に基づいて詳述する。図５〜図７は、本発明に係るインサート成形装置を用いたインサート成形方法により製造される遊技板を備えたパチンコ機の一例を示している。
【００１３】
このパチンコ機１は、図５及び図６に示すように、矩形状の外枠２と、この外枠２の前側に上下一対のヒンジ３を介して開閉自在に枢着された前枠４とを備えている。前枠４には遊技盤５と、この遊技盤５の裏側に配置された画像表示手段としての液晶表示手段６とが装着され、その遊技盤５の前側にガラス扉７と前面板８とが上下に配置されている。ガラス扉７、前面板８は前枠４に開閉自在に枢支されている。
【００１４】
前枠４の下部には、余剰球を貯留する下皿９と、遊技盤５の遊技領域Ａへと遊技球を発射する発射手段１０とが左右に配置されている。発射手段１０は、発射レール１１と、発射レール１１上の遊技球を打撃する打撃槌１２と、打撃槌１２を駆動する発射モータ１３と、発射ハンドル１４とを備え、遊技者が発射ハンドル１４を把持して回動操作したときに、発射モータ１３が打撃槌１２を駆動して、発射レール１１上に１個ずつ供給される遊技球を遊技盤５側へと発射させるようになっている。前面板８には、その前面に発射用の遊技球を貯留する上皿１５が装着されている。
【００１５】
遊技盤５は透明な合成樹脂製、例えばポリカーボネート樹脂製の遊技板１６を備え、前枠４の裏側に固定された遊技盤装着枠１７を介して前枠４の裏側に着脱自在に装着されている。遊技盤５の前面には、ガラス扉７の窓孔７ａと略対応するように、発射手段１０により発射された遊技球を遊技領域Ａへと案内する外ガイドレール１８及び内ガイドレール１９が装着されている。遊技盤装着枠１７は遊技盤５が裏側等から嵌合する構造であって、裏側に締結具２０により遊技盤５を締め付けて固定するようになっている。
【００１６】
液晶表示手段６は遊技盤５に略対応する大きさの矩形状であって、遊技盤５との間に所定の間隔を置いた状態で、遊技盤装着枠１７に取り付け部材２１を介して取り付けられる等、前枠４の裏側に着脱自在に装着されている。そして、この液晶表示手段６は少なくとも遊技盤５の遊技領域Ａの裏側に対応しており、前側のガラス扉７の窓孔７ａから遊技盤５の遊技領域Ａ及びその周辺部分（ガイドレール１８，１９により形成される球案内通路）を介して液晶表示手段６の画像を透視できるようになっている。
【００１７】
遊技盤５は、図７に示すように遊技板１６の前面に外ガイドレール１８、内ガイドレール１９が装着され、その内ガイドレール１９の内側の遊技領域Ａの下部側等の所定部位に始動手段２２、大入賞手段２３、普通入賞手段２４等の各種遊技部品が、上部所定部位に球案内用庇部２５が夫々配置され、また遊技領域Ａ内の各部に遊技釘２６が植設されている。
【００１８】
始動手段２２、大入賞手段２３、普通入賞手段２４等の各遊技部品は、１又は複数の装着ユニット２７上に設けられており、これら装着ユニット２７が遊技板１６に着脱自在に装着されている。
【００１９】
遊技板１６には、装着ユニット２７を装着するための１又は複数の装着孔１６ａ、及びアウト球を遊技盤５の裏側に案内するためのアウト口を構成するアウト孔１６ｂ等が板厚方向に貫通状に形成され、また多数の遊技釘２６が植設されている。各装着孔１６ａには、各装着ユニット２７が例えば前側から装着され、圧入、ネジ止め、その他の任意の方法で遊技板１６に固定されている。
【００２０】
遊技釘２６は、図６に示すように、丸棒状の軸部２６ａの後端側に半球状の頭部２６ｂが一体に設けられ、後述するインサート成形方法により遊技板１６の成形時に予め植設されている。また、一部の遊技釘２６は、装着ユニット２７の前側に例えばインサート成形等の方法で植設されている。
【００２１】
液晶表示手段６は、図７に点線で示すように、遊技領域Ａの上部中央に対応する位置に特別図柄表示部３０を画像表示すると共に、その周辺部分に他のデモ画像、背景画像等を表示するようになっている。特別図柄表示部３０は左右方向に複数個、例えば３個の特別図柄３０ａを表示するものであって、その特別図柄３０ａは始動手段２２の遊技球の検出を条件に所定時間変動して、その変動後に特定態様の大当たり図柄と、それ以外の外れ図柄との何れかで停止するようになっている。なお、特別図柄３０ａが大当たり図柄で停止した場合に、大入賞手段２３が開放する特別遊技状態を発生させるようになっている。
【００２２】
続いて、上記遊技板１６を成形するためのインサート成形装置３１及びそれを用いたインサート成形方法について説明する。
【００２３】
インサート成形装置３１は、図１に示すように、金型３２、射出手段３３、遊技釘保持手段３４等を備えている。金型３２は、例えば遊技板１６の前面側に対応する上型３５と、遊技板１６の裏面側に対応する下型３６とで構成される分離型で、例えば上下型３５，３６の接合部分に沿って、内面側（キャビティ３７側）にゲート３８が、外面側に樹脂注入口３９が夫々形成され、それら樹脂注入口３９とゲート３８とを接続するようにランナー４０が配設されている。なお、ゲート３８、樹脂注入口３９、ランナー４０等よりなる樹脂の注入経路は、上下型３５，３６の接合部分に沿って設ける必要はなく、上型３５側又は下型３６側の所定位置に設けてもよい。
【００２４】
上型３５には、遊技板１６上の遊技釘２６の植設位置に対応して貫通孔４１が複数設けられている。貫通孔４１は、上型３５の外面側の外開口部４１ａと内面側の内開口部４１ｂとの間を接続するように形成されており、外開口部４１ａ側から内開口部４１ｂ側に向けて滑らかに狭まるテーパー状に形成されている。即ち、内開口部４１ｂは、図３に示すように、遊技釘２６の頭部２６ｂが通過可能な例えば長方形状（正方形を含む）に形成され、外開口部４１ａは、例えば内開口部４１ｂに対して幅方向寸法が同じで長さ方向寸法が長い長方形状に形成されており、それら外開口部４１ａと内開口部４１ｂとの対応する四辺は夫々平面、即ち長方形状の斜面４２，４２、及び台形状の側面４３，４３により接続されている。
【００２５】
射出手段３３は、金型３２のキャビティ３７内に合成樹脂を射出充填するためのもので、その先端のノズル部５２が樹脂注入口３９に外側から接続されるようになっている。
【００２６】
遊技釘保持手段３４は、金型３２に合成樹脂を充填する際に遊技釘２６を保持すると共に金型３２の貫通孔４１を外側から閉鎖するためのもので、遊技釘２６を挟持する挟持手段６１と、この挟持手段６１により挟持される遊技釘２６の軸方向への移動を規制する規制手段６２と、これら挟持手段６１、規制手段６２等を支持する支持ヘッド６３とを備えている。支持ヘッド６３は、所定の駆動手段（図示省略）により少なくとも貫通孔４１に対してその軸方向に相対移動可能となっている。
【００２７】
挟持手段６１は、複数、例えば一対の挟持爪６４，６４により構成されている。これら挟持爪６４，６４は、その後端側において支持ヘッド６３側に支持されており、図示しない開閉駆動手段により、互いに近接する閉方向と離間する開方向とに移動可能となっている。
【００２８】
挟持爪６４，６４には、その先端側に互いに対向する挟持部６５，６５が設けられており、閉状態のとき、この挟持部６５，６５により遊技釘２６の軸部２６ａをその軸方向に沿って両側から挟持可能となっている。なお、例えば挟持部６５，６５には、図３に示すように、夫々その対向面側に半円筒状の挟持溝６５ａが形成されており、この挟持溝６５ａ間に遊技釘２６の軸部２６ａを挟み込むようになっている。
【００２９】
また、挟持爪６４，６４には、挟持部６５，６５の後端側に長手方向に沿って互いに対向する凹部６６，６６が形成されている。凹部６６，６６は、挟持部６５，６５により遊技釘２６を挟持したとき、その遊技釘２６の頭部２６ｂが収容される所定幅の隙間６７を形成するものである。
【００３０】
挟持部６５，６５の先端部は、遊技釘２６を挟持した状態で上型３５側の貫通孔４１に合致する形状、即ち先端側が狭いテーパー形状に形成されており、図３に示すように、遊技釘２６を挟持した状態で貫通孔４１に外側から嵌合したとき、そのテーパー面６８，６８が貫通孔４１側の斜面４２，４２に、側面６９，６９が貫通孔４１側の側面４３，４３に夫々略密着すると共に、その先端面７０が上型３５の内面と面一になるように構成されている。
【００３１】
また、挟持爪６４，６４は、挟持部６５，６５により遊技釘２６の軸部２６ａを挟持する閉状態と、挟持部６５，６５の間隔が遊技釘２６の頭部２６ｂの外径よりも大となる開状態との間でそのテーパー方向に沿って開閉するように構成されている。即ち、挟持爪６４，６４は、開閉動作時にはそのテーパー面６８，６８が貫通孔４１側の斜面４２，４２に沿って貫通孔４１の外側に向けて摺動する。
【００３２】
規制手段６２は、挟持爪６４，６４の後端側から隙間６７内に向けて軸方向に突設され、その後端側において支持ヘッド６３側に固定的に支持されており、挟持爪６４，６４に挟持された遊技釘２６の頭部２６ｂに後側から略当接して、遊技釘２６の軸方向後側への移動を規制するようになっている。
【００３３】
なお、規制手段６２は、遊技釘２６の頭部２６ｂをその先端部６２ａに略当接させた状態でその遊技釘２６を挟持爪６４，６４により挟持させたとき（以下、挟持状態という）、遊技釘２６の先端側の埋設部２６ｃが挟持爪６４，６４の先端面７０から突出する長さに構成されている。また、挟持爪６４，６４は、その開放時に遊技釘２６に対して軸方向に相対移動するが、規制手段６２は遊技釘２６に対して相対移動することなく遊技釘２６の頭部２６ｂに略当接した状態で保持され、遊技釘２６の抜け方向への移動を規制するようになっている。
【００３４】
また、挟持爪６４，６４が挟持状態からテーパー方向に沿って開方向に動作する際の挟持部６５，６５側の後端側顎部７１と遊技釘２６側の頭部２６ｂとの干渉を防止すべく、挟持爪６４，６４が挟持状態のとき、遊技釘２６の頭部２６ｂの位置が挟持部６５の開閉時の移動軌跡から外れるように構成されている。
【００３５】
以上のような構成を有するインサート成形装置３１によるインサート成形手順を図４に基づいて具体的に説明する。
【００３６】
遊技板１６のインサート成形に際しては、まず遊技釘保持手段３４に遊技釘２６を保持させる。即ち、遊技釘２６の頭部２６ｂを規制手段６２の先端部６２ａに略当接させた状態で挟持爪６４，６４の挟持部６５，６５により遊技釘２６の軸部２６ａを挟持させる。このとき、遊技釘２６の軸部２６ａは、その先端側の埋設部２６ｃが挟持部６５，６５の先端面７０から突出した状態となる（図４（ａ））。
【００３７】
そして、その状態で支持ヘッド６３を移動させて、挟持部６５，６５の先端部を金型３２の貫通孔４１に外側から嵌合させる。これにより、遊技釘２６はその先端側の埋設部２６ｃを金型３２のキャビティ３７内に突出させた状態で保持されると共に、貫通孔４１は挟持手段６１の先端側により略閉鎖される（図４（ｂ）；遊技釘保持工程）。
【００３８】
この状態で、射出手段３３のノズル部５２を樹脂注入口３９に外側から嵌合させ、射出手段３３により合成樹脂７２をキャビティ３７内に射出充填させる（図４（ａ）→（ｂ）；充填工程）。
【００３９】
そして、キャビティ３７内の合成樹脂７２の硬化後、規制手段６２をその位置で停止させた状態で挟持爪６４，６４を開方向に移動させる（図４（ｄ）→（ｅ）；遊技釘保持解除工程）。このとき、挟持爪６４，６４は、そのテーパー面６８，６８が貫通孔４１側の斜面４２，４２に沿って外向きに摺動するようにテーパー方向に移動するようになっており、しかも挟持部６５，６５により遊技釘２６を挟持したとき（挟持状態）、その遊技釘２６の頭部２６ｂの位置が挟持部６５の開閉時の移動軌跡から外れるように構成されているため、挟持部６５，６５側の後端側顎部７１と遊技釘２６側の頭部２６ｂとが干渉することなく、挟持爪６４，６４を挟持部６５，６５の間隔が遊技釘２６の頭部２６ｂの外径よりも大となるまで移動させることが可能である。
【００４０】
また、挟持爪６４，６４の開方向への動作中、遊技釘２６の頭部２６ｂは規制手段６２によりその後側への移動が規制されているため、挟持爪６４，６４に引きずられて遊技釘２６が抜け方向に移動することはない。
【００４１】
挟持爪６４，６４が開状態になれば、支持ヘッド６３を移動させて挟持爪６４，６４を遊技釘２６から離間させ、金型３２を分割して遊技板１６を取り出せばよい（図４（ｆ））。
【００４２】
以上説明したように、本実施形態のインサート成形装置では、遊技釘保持手段３４は、先端側の挟持部６５により遊技釘２６の所定位置を挟持した状態でその先端部により貫通孔４１を外側から閉鎖可能な挟持手段６１を備え、貫通孔４１と挟持部６５の先端部とは共に先端側が狭いテーパー形状に形成され、挟持手段６１は、貫通孔４１のテーパー面に沿って開閉可能に構成されると共に、挟持部６５により遊技釘２６の所定位置を挟持したとき、その遊技釘２６の頭部２６ｂの位置が挟持部６５，６５の開閉時の移動軌跡から外れるように構成されているため、金型３２内に充填された合成樹脂の硬化後に遊技釘保持手段３４及び金型３２を容易に抜き取ることが可能であり、遊技釘２６を埋設しつつ成形する遊技板１６のインサート成形が可能となる。
【００４３】
遊技釘保持手段３４は、挟持部６５により遊技釘２６の所定位置を挟持したとき、その遊技釘２６の頭部２６ｂに後側から略当接してその遊技釘２６の後側への移動を規制する規制手段６２を備えているため、遊技釘保持手段３４を抜き取る際の遊技釘２６の抜けを防止できる利点がある。
【００４４】
図８は本発明の第２の実施形態を例示し、遊技板１６上に一列状に植設される複数の遊技釘２６に対応して複数個の挟持手段６１を一体に形成した例を示している。
【００４５】
いわゆる道釘のように遊技板１６上に略一定の間隔で複数の遊技釘２６が一列状に配列されている場合には、それら複数の遊技釘２６については、夫々個別に挟持手段６１により挟持するよりも、それらをまとめて１つの挟持手段６１により挟持して同時に保持等を行う方がスペース的にも有利で作業も効率的である。
【００４６】
そこで、図８に示すように、遊技板１６上に一列状に植設される複数の遊技釘２６については、それら各遊技釘２６に対応する複数の挟持手段６１をその遊技釘２６の配列方向に沿って一体に形成することが望ましい。
【００４７】
この場合、図８に示すように挟持手段６１の略全体を一体的に形成してもよいし、挟持手段６１の一部のみを互いに連結して一体的に動作可能に構成してもよい。
【００４８】
図９は本発明の第３の実施形態を例示し、挟持部６５，６５の後端側をその先端側のテーパー面６８と略平行に形成した例を示している。このように構成することで、挟持部６５，６５と遊技釘２６の頭部２６ｂとを近接させた状態で遊技釘２６を挟持するようにしても、挟持爪６４，６４の開放時に挟持部６５と遊技釘２６の頭部２６ｂとが干渉することなく遊技釘保持手段３４を抜き取ることが可能である。
【００４９】
またこの場合、図８に示すように挟持部６５，６５を遊技釘２６の頭部２６ｂに近接又は当接させるように設けることで、遊技釘２６の頭部２６ｂの軸方向への移動が規制されるため、遊技釘２６をより安定的且つ正確に保持することができ、遊技釘２６の埋設深さを常に一定にできる等の利点がある。
【００５０】
以上、本発明の各実施形態について詳述したが、本発明はこれら各実施形態に限定されるものではなく、本発明の趣旨を逸脱しない範囲で種々の変更が可能である。例えば、挟持手段６１は、挟持する遊技釘２６の軸廻りに配置した３つ以上の挟持爪６４により構成してもよい。
【００５１】
貫通孔４１と挟持部６５の先端部とは、少なくとも挟持手段６１の開閉側をテーパー状に形成すればよいが、挟持部６５の先端側で貫通孔４１を略閉鎖可能な形状であれば、挟持手段６１の開閉側以外の面についてもテーパー状、その他の形状に形成してもよい。
【００５２】
実施形態では、説明の簡単のため、遊技板１６に対して遊技釘２６が垂直に植設されるものとして説明したが、通常、遊技釘２６は遊技板１６に対して上向きに所定角度（例えば５°）傾いて植設される。この場合、図１０に示すように、挟持手段６１等を遊技釘２６の傾斜方向に開閉可能としてその挟持爪６４の形状及び開閉方向を左右非対称とするか、図１１に示すように、挟持手段６１等を遊技釘２６の傾斜方向と直交する方向に開閉可能としてその挟持爪６４の形状を前後方向に非対称とすればよい。
【図面の簡単な説明】
【００５３】
【図１】本発明の第１の実施形態を示すインサート成形装置の概略構成図である。
【図２】本発明の第１の実施形態を示す挟持手段の開閉動作の説明図である。
【図３】本発明の第１の実施形態を示す挟持手段及び貫通孔の概略斜視図である。
【図４】本発明の第１の実施形態を示すインサート成形装置による遊技板成形手順の説明図である。
【図５】本発明の第１の実施形態を示すパチンコ機の全体正面図である。
【図６】本発明の第１の実施形態を示すパチンコ機の要部側面断面図である。
【図７】本発明の第１の実施形態を示す遊技盤の正面図である。
【図８】本発明の第２の実施形態を示す挟持手段の斜視図である。
【図９】本発明の第３の実施形態を示す遊技釘保持手段の正面図である。
【図１０】本発明のその他の実施形態を示す遊技釘保持手段の正面図である。
【図１１】本発明のその他の実施形態を示す遊技釘保持手段の側面図である。
【符号の説明】
【００５４】
２６    遊技釘
２６ｂ  頭部
２６ｃ  埋設部
３２    金型
３４    遊技釘保持手段
４１    貫通孔
６１    挟持手段
６２    規制手段
６５    挟持部
６８    テーパー面
７２    合成樹脂
【図１】
2006043284.tif 000003
【図２】
2006043284.tif 000004
【図３】
2006043284.tif 000005
【図４】
2006043284.tif 000006
【図５】
2006043284.tif 000007
【図６】
2006043284.tif 000008
【図７】
2006043284.tif 000009
【図８】
2006043284.tif 000010
【図９】
2006043284.tif 000011
【図１０】
2006043284.tif 000012
【図１１】
2006043284.tif 000013